【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
オストミー患者の皮膚へとストーマ袋を固定するための粘着性の面板であって、
・体側の面すなわち近位面と遠位面とを有するとともに、皮膚に優しい粘着材料の層および当該患者のストーマを受け入れるためのストーマ受入開口を有している可撓プレート、
・内周および外周を有するとともに、前記ストーマ袋の対応する袋接続手段と固定または解除可能に係合するように構成されており、前記可撓プレートの平面とおおむね平行である自身の平面によって、前記ストーマを受け入れるための前記開口とおおむね同心に、前記可撓プレートへと固定されているおおむね環状の面板接続手段、
・腸内ガスを脱臭するためのフィルタ、および
・前記面板接続手段と前記可撓プレートとの間を、前記内周から前記外周まで延び、かつ前記フィルタを通っている１つ以上の腸内ガス通路
を有している面板。
【請求項２】
前記面板接続手段および前記袋接続手段が、互いに解除可能に係合するように構成された相互に一致する接続リングである請求項１に記載の面板。
【請求項３】
前記面板接続手段および前記袋接続手段が、接着剤によって互いに解除可能または固定に貼り付けられ、あるいは熱シールの継ぎ目によって互いに固定に貼り付けられるように構成された相互に一致する表面である請求項１に記載の面板。
【請求項４】
前記相互に一致する表面の一方または両方が、比較的剛な材料からなるリングによって設けられている請求項３に記載の面板。
【請求項５】
・前記外周の外側に位置する外側部と、前記面板接続手段と前記可撓プレートとの間に位置する内側部とを有する区画
をさらに有しており、
腸内ガス出口が前記外側部の壁面に設けられ、前記区画が前記腸内ガス通路の一部を形成しており、前記フィルタが、前記腸内ガス出口を遮るように前記区画に配置されている
請求項１〜４のいずれか一項に記載の面板。
【請求項６】
前記区画の前記外側部が、小袋を定めるように好ましくは構成されているプラスチック材料からなる第１のフィルム細片によって定められている請求項５に記載の面板。
【請求項７】
前記第１のフィルム細片が、前記面板接続手段に取り付けられた第１の縁、および前記可撓プレートへと取り付けられた前記第１の縁と反対側の第２の縁を、前記腸内ガス通路が前記第１および第２の縁の間を延びることができるように有している請求項６に記載の面板。
【請求項８】
前記第１のフィルム細片が、前記プラスチック材料からなる第２および第３のフィルム細片で構成され、前記第２および第３のフィルム細片が、それぞれ前記第１の縁および前記第２の縁を有しており、前記第２および第３のフィルム細片が、それぞれ前記第１および第２の縁と反対側の縁に沿って、互いに取り付けられている請求項７に記載の面板。
【請求項９】
前記第１のフィルム細片が、前記接続リングに取り付けられた第１の縁、および前記外周の外側で前記可撓プレートへと取り付けられた前記第１の縁と反対側の第２の縁を有している請求項６に記載の面板。
【請求項１０】
前記区画の前記外側部が、前記外周の周囲の一部に沿って広がっている請求項５〜９のいずれか一項に記載の面板。
【請求項１１】
前記区画の前記外側部が、前記外周の周囲の全体に沿って広がっている請求項５〜９のいずれか一項に記載の面板。
【請求項１２】
プラスチック材料からなる第４のフィルム細片の第１の縁が、前記面板接続手段に取り付けられるとともに、前記第４のフィルム細片の前記第１の縁と反対側の第２の縁が、前記外周の内側において前記可撓プレートに取り付けられ、少なくとも１つの腸内ガス入口開口が、前記第４のフィルム細片に設けられ、前記少なくとも１つの腸内ガス通路のうちの対応する１つへの腸内ガス入口を構成している請求項３〜１１のいずれか一項に記載の面板。
【請求項１３】
前記第４のフィルム細片が、前記第１のフィルム細片と一体である請求項１２に記載の面板。
【請求項１４】
前記腸内ガス入口開口が、前記ガス出口開口から遠く離れて位置している請求項１２または１３に記載の面板。
【請求項１５】
開放気泡の発泡材料が、前記腸内ガス入口開口と前記腸内ガス出口との間の前記区画内に、前記腸内ガス入口開口と前記腸内ガス出口との間の少なくとも１地点において前記区画の事実上すべての断面積が当該発泡材料で満たされるように配置されている請求項１４に記載の面板。
【請求項１６】
ストーマ流体または液体が前記腸内ガス通路へと進入することを妨害または防止するための障壁手段が、前記内周に近接して設けられている請求項１〜１５のいずれか一項に記載の面板。
【請求項１７】
前記障壁手段が、気体を通すが液体は通さないフィルムを、前記腸内ガス通路への入口を覆うように配置して有している請求項１６に記載の面板。
【請求項１８】
前記フィルムが、前記腸内ガス入口開口を囲んでいる領域において、前記第４のフィルム細片に取り付けられている請求項１７および請求項１２〜１６のいずれか一項に記載の面板。
【請求項１９】
前記第４のフィルム細片が、前記気体を通すが液体は通さないフィルムによって構成されている請求項１７および請求項１２〜１６のいずれか一項に記載の面板。
【請求項２０】
前記障壁手段が、長手縁の１つを前記接続リングの全周に沿った前記内周の内側の前記可撓プレートへと取り付けて有する第５のフィルム細片を含んでおり、該第５のフィルム細片の反対側の長手縁が、該第５のフィルム細片によって前記可撓プレートから離れるように延びる環状のカラーが形成されるよう自由に運動できる請求項１６〜１９のいずれか一項に記載の面板。
【請求項２１】
前記障壁手段が、長手縁の１つを前記接続リングの全周の一部に沿って前記接続リングに取り付けて有するとともに、前記内周から内側へと延びている第６のフィルム細片を含んでおり、該第６のフィルム細片の反対側の長手縁が、該第６のフィルム細片によって前記可撓プレートとおおむね平行に延びるカーテンが形成されるよう自由に運動できる請求項１６〜２０のいずれか一項に記載の面板。
【請求項２２】
前記腸内ガス通路への前記入口が、前記全周の前記一部に位置し、好ましくは前記全周の前記一部の中央付近に位置している請求項２１に記載の面板。
【請求項２３】
前記障壁手段が、開放気泡の発泡体または不織材料などの気体を通す好ましくは疎水性の材料からなる引き延ばされた本体を含んでおり、該本体が、弧状の好ましくは閉じた輪であって好ましくは環状の形状を有するとともに、前記面板接続手段と前記ストーマ受入開口との間に配置されている請求項１６に記載の面板。
【請求項２４】
前記本体が、前記本体の長さの事実上全体にわたって、前記可撓プレートの前記遠位面に当接している請求項２３に記載の面板。
【請求項２５】
環状のフィルムが、前記本体の手前側表面へと取り付けられ、前記遠位面の前記本体と前記ストーマ受入開口との間に位置する領域の少なくとも一部、好ましくは事実上すべてを覆っている請求項２３または２４に記載の面板。
【請求項２６】
前記環状のフィルムが、前記ストーマ受入開口に受け入れられたストーマが、前記環状のフィルムによって当該ストーマのための鞘またはカフの形態で部分的に覆われるよう、前記ストーマ受入開口の外周を超えて前記本体から離れるように延びている請求項２５に記載の面板。
【請求項２７】
ラビリンスが、前記腸内ガス通路への入口と前記フィルタとの間の前記区画に設けられ、前記腸内ガス通路が前記ラビリンスを含んでいる請求項５〜２６のいずれか一項に記載の面板。
【請求項２８】
前記ラビリンスが、第１の縁を前記第４のフィルム細片の前記第２の縁と一緒に前記可撓プレートに取り付けて有しているプラスチック材料からなる第７のフィルム細片を含んでおり、該第７のフィルム細片が、前記第１の縁と反対側の第２の縁を、前記第１のフィルム細片および前記第４のフィルム細片によって定められた区画が２つの室へと再分割されるように、前記第１のフィルム細片に取り付けて有しており、少なくとも１つの腸内ガス流通開口が、前記第７のフィルム細片に設けられている請求項２７および請求項１２〜２６のいずれか一項に記載の面板。
【請求項２９】
腸内ガスが前記第１および第４のフィルム細片の間の付着に妨げられることなく前記腸内ガス入口開口を通って流れることができるよう、前記第１および第４のフィルム細片の間に空間をもたらすため、スペーサ手段が、前記第４のフィルム細片と前記第１のフィルム細片との間に、少なくとも前記腸内ガス入口開口に隣接して設けられている請求項１２〜２６のいずれか一項に記載の面板。
【請求項３０】
腸内ガスが前記第７および第４のフィルム細片の間の付着に妨げられることなく前記腸内ガス入口開口を通って流れることができるよう、前記第１および第７のフィルム細片の間に空間をもたらすため、スペーサ手段が、前記第４のフィルム細片と前記第７のフィルム細片との間に、前記腸内ガス入口開口に隣接して設けられている請求項２８に記載の面板。
【請求項３１】
前記スペーサ手段が、不織材料の細片を含んでいる請求項２９または３０に記載の面板。
【請求項３２】
前記フィルタが環状であり、前記面板接続手段と前記可撓プレートとの間に配置されている請求項１〜４のいずれか一項に記載の面板。
【請求項３３】
前記接続リングが、前記環状のフィルタによって前記可撓プレートに取り付けられている請求項３２に記載の面板。
【請求項３４】
オストミー患者の皮膚へとストーマ袋を固定するための粘着性の面板であって、
・体側の面すなわち近位面と遠位面とを有するとともに、皮膚に優しい粘着材料の層および当該患者のストーマを受け入れるためのストーマ受入開口を有している可撓プレート、
・内周および外周を有するとともに、前記ストーマ袋の対応する袋接続手段と固定または解除可能に係合するように構成されており、前記可撓プレートの平面とおおむね平行である自身の平面によって、前記ストーマを受け入れるための前記開口とおおむね同心に、前記可撓プレートへと固定されているおおむね環状の面板接続手段、
・腸内ガスを脱臭するためのフィルタ、
・腸内ガス出口開口が設けられているプラスチック材料の第１のフィルムで作られ、前記外周を超えて外へと広がる子袋または袋の形態である腸内ガス排気区画、および
・前記内周から前記排気小袋の内部へと延び、さらに前記フィルタおよび前記腸内ガス出口開口を通って延びており、前記腸内ガス開口を通過して排気される前記腸内ガスの事実上すべてが前記フィルタを通過して流れるように前記フィルタが配置されている腸内ガス通路
を有している面板。
【請求項３５】
前記面板接続手段および前記袋接続手段が、互いに解除可能に係合するように構成された相互に一致する接続リングである請求項３４に記載の面板。
【請求項３６】
前記面板接続手段および前記袋接続手段が、接着剤によって互いに解除可能または固定に貼り付けられ、あるいは熱シールの継ぎ目によって互いに固定に貼り付けられるように構成された相互に一致する表面である請求項３４に記載の面板。
【請求項３７】
前記腸内ガス通路が、前記面板接続手段と前記可撓プレートとの間を延びている請求項３３〜３６のいずれか一項に記載の面板。
【請求項３８】
前記腸内ガス通路が、前記面板接続手段の一部分を通過してコンジット入口からコンジット出口まで延びているコンジットを、少なくとも部分的に通過して延びている請求項３３〜３６のいずれか一項に記載の面板。
【請求項３９】
前記排気小袋の１つの縁が、前記可撓プレートに面している前記面板接続手段の体側すなわち近位面に取り付けられ、前記排気小袋の反対側の縁が、前記可撓プレートから離れる方を向いている前記面板接続手段の遠位面に取り付けられ、前記コンジット出口が、前記コンジットから出る腸内ガスが前記排気小袋へと進入するよう前記近位面と遠位面との間に位置している請求項３８に記載の面板。
【請求項４０】
前記小袋が、前記外周の周囲の一部に沿って広がっている請求項３６〜３９のいずれか一項に記載の面板。
【請求項４１】
前記小袋が、前記外周の周囲の全体に沿って広がっている請求項３６〜３９のいずれか一項に記載の面板。
【請求項４２】
プラスチック材料からなる第１のフィルム細片の第１の縁が、前記接続リングに取り付けられるとともに、前記第１のフィルム細片の前記第１の縁と反対側の第２の縁が、前記外周の内側において前記可撓プレートに取り付けられ、少なくとも１つの腸内ガス入口開口が、前記第１のフィルム細片に設けられている請求項３４〜４１のいずれか一項に記載の面板。
【請求項４３】
開放気泡の発泡材料が、前記フィルタの上流において前記小袋内に、少なくとも１地点において前記排気小袋の事実上すべての断面積が当該発泡材料で満たされるように配置されている請求項３４〜４２のいずれか一項に記載の面板。
【請求項４４】
ストーマ流体または液体が前記腸内ガス通路へと進入することを妨害または防止するための障壁手段が、前記内周に近接して設けられている請求項３４〜４３のいずれか一項に記載の面板。
【請求項４５】
前記障壁手段が、気体を通すが液体は通さないフィルムを、前記腸内ガス通路への入口を覆うように配置して有している請求項４４に記載の面板。
【請求項４６】
前記フィルムが、前記腸内ガス入口開口を囲んでいる領域において、前記第１のフィルム細片に取り付けられている請求項４４および４５に記載の面板。
【請求項４７】
前記第１のフィルム細片が、前記気体を通すが液体は通さないフィルムによって構成されている請求項４５および請求項４２に記載の面板。
【請求項４８】
前記障壁手段が、長手縁の１つを前記接続リングの全周に沿った前記内周の内側の前記可撓プレートへと取り付けて有する第２のフィルム細片を含んでおり、該第２のフィルム細片の反対側の長手縁が、該第２のフィルム細片によって前記可撓プレートから離れるように延びる環状のカラーが形成されるよう自由に運動できる請求項４４〜４７のいずれか一項に記載の面板。
【請求項４９】
前記障壁手段が、長手縁の１つを前記接続リングの全周の一部に沿って前記接続リングに取り付けて有するとともに、前記内周から内側へと延びている第３のフィルム細片を含んでおり、該第３のフィルム細片の反対側の長手縁が、該第３のフィルム細片によって前記可撓プレートとおおむね平行に延びるカーテンが形成されるよう自由に運動できる請求項４４〜４７のいずれか一項に記載の面板。
【請求項５０】
前記腸内ガス通路への前記入口が、前記全周の前記一部に位置し、好ましくは前記全周の前記一部の中央付近に位置している請求項４９に記載の面板。
【請求項５１】
前記障壁手段が、開放気泡の発泡体または不織材料などの気体を通す好ましくは疎水性の材料からなる引き延ばされた本体を含んでおり、該本体が、弧状の好ましくは閉じた輪であって好ましくは環状の形状を有するとともに、前記面板接続手段と前記ストーマ受入開口との間に配置されている請求項４４に記載の面板。
【請求項５２】
前記本体が、前記本体の長さの事実上全体にわたって、前記可撓プレートの前記遠位面に当接している請求項５１に記載の面板。
【請求項５３】
環状のフィルムが、前記本体の手前側表面へと取り付けられ、前記遠位面の前記本体と前記ストーマ受入開口との間に位置する領域の少なくとも一部、好ましくは事実上すべてを覆っている請求項５１または５２に記載の面板。
【請求項５４】
前記環状のフィルムが、前記ストーマ受入開口に受け入れられたストーマが、前記環状のフィルムによって当該ストーマのための鞘またはカフの形態で部分的に覆われるよう、前記ストーマ受入開口の外周を超えて前記本体から離れるように延びている請求項５３に記載の面板。
【請求項５５】
ラビリンスが、前記腸内ガス通路への入口と前記フィルタとの間の前記小袋内に設けられ、前記腸内ガス通路が前記ラビリンスを含んでいる請求項３４〜５３のいずれか一項に記載の面板。
【請求項５６】
前記ラビリンスが、前記小袋を２つの室へと分割するように配置および構成されたプラスチック材料からなる第４のフィルム細片を含んでおり、一方の室が前記腸内ガス通路入口と直接連通し、他方の室が前記フィルタを収容し、少なくとも１つの腸内ガス流通開口が、前記第４のフィルム細片に設けられている請求項５５および請求項４０〜５４のいずれか一項に記載の面板。
【請求項５７】
腸内ガスが前記小袋のフィルム壁間の付着に妨げられることなく前記腸内ガス・コンジットを通って流れることができるよう、前記小袋のフィルム壁間に空間をもたらすため、スペーサ手段が、少なくとも前記コンジット出口に隣接して設けられている請求項３８に記載の面板。
【請求項５８】
腸内ガスが前記第１のフィルム細片と小袋壁または前記可撓プレートとの間の付着に妨げられることなく前記腸内ガス入口開口を通って流れることができるよう、前記腸内ガス入口開口の下流に空間をもたらすため、スペーサ手段が、少なくとも前記腸内ガス入口開口に隣接して設けられている請求項４２に記載の面板。
【請求項５９】
前記スペーサ手段が、不織材料の細片を含んでいる請求項５７または５８に記載の面板。
【請求項６０】
前記可撓プレートの前記近位面が凸状であり、比較的剛な凸状リングが、前記可撓プレートの前記遠位面に取り付けられている請求項１〜５９のいずれか一項に記載の面板。
【請求項６１】
腸内ガス通路が、前記凸状リングを貫いて設けられている請求項６０に記載の面板。
【請求項６２】
人間のストーマからの排出を受け入れるためのストーマ装具であって、
請求項１〜６１のいずれか一項に記載の粘着性面板と、該面板に取り外し可能または固定に取り付けられて人間のストーマからの排出を受け入れるストーマ袋との組み合わせ
を含んでいるストーマ装具。
【請求項６３】
前記ストーマ袋が、気体および液体を通さない材料からなる単一の袋からなる請求項６２に記載のストーマ装具。
【請求項６４】
前記ストーマ袋が、気体および液体を通さない材料からなる外側袋および柔軟な材料からなり前記外側袋の内部に収容される内側袋という２つの袋を含んでいる請求項６２に記載のストーマ装具。
【請求項６５】
前記引き延ばされた本体が、前記ストーマ袋の前記面板からの取り外しが前記引き延ばされた本体の前記面板からの取り外しを伴うよう、前記ストーマ袋および／または前記袋接続手段に取り付けられている請求項２３〜２６または５１〜５４のいずれか一項に従属する請求項６３に記載のストーマ装具。
【請求項６６】
前記引き延ばされた本体が、前記内側のストーマ袋の前記面板からの取り外しが前記引き延ばされた本体の前記面板からの取り外しを伴うよう、前記内側のストーマ袋に取り付けられている請求項２３〜２６または５１〜５４のいずれか一項に従属する請求項６４に記載のストーマ装具。
【請求項６７】
ストーマからの排出を受け入れるための開口を有しているストーマ袋をオストミー患者の皮膚へと固定するための粘着性の面板を清浄化する方法であって、
前記面板が、
・体側の面すなわち近位面と遠位面とを有するとともに、皮膚に優しい粘着材料の層および当該患者のストーマを受け入れるためのストーマ受入開口を有している可撓プレート、および
・前記ストーマを受け入れるための前記開口とおおむね同心でありかつ前記ストーマを受け入れるための前記開口の縁から離間している内周を有するおおむね環状の面板接続手段であって、前記内周と前記縁との間におおむね環状の面板遠位面が定められており、前記袋の開口が前記面板の開口に位置合わせされるよう、前記ストーマ袋の対応する袋接続手段と解除可能に係合するように構成されている面板接続手段
を有しており、
当該方法が、
・別体の閉じた輪であり好ましくは環状である引き延ばされた本体であって、前記内周の内側に前記環状の面板表面に当接して位置できる寸法を有している本体を用意するステップ、
・前記本体を前記ストーマ袋に取り付けるステップ、
・前記面板接続手段を前記袋接続手段に係合させることによって、前記本体が前記内周の内側に前記環状の面板表面に当接して位置するように、前記ストーマ袋を前記面板に取り付けるステップ、および
・前記面板接続手段を前記袋接続手段から切り離すことによって、前記ストーマ袋を前記本体とともに取り外すステップ
を含んでいる方法。
【請求項６８】
前記面板接続手段および前記袋接続手段が、互いに解除可能に係合するように構成された相互に一致する接続リングである請求項６７に記載の方法。
【請求項６９】
前記面板接続手段および前記袋接続手段が、接着剤によって互いに解除可能または固定に貼り付けられ、あるいは熱シールの継ぎ目によって互いに固定に貼り付けられるように構成された相互に一致する表面である請求項６７に記載の方法。
【請求項７０】
前記本体が、前記袋の開口に隣接する環状の領域において、接着剤または熱シールによって前記袋に取り付けられる請求項６７〜６９のいずれか一項に記載の方法。
【請求項７１】
前記本体が、前記袋接続手段への接着剤または熱シールによって、前記袋に取り付けられる請求項６７〜６９のいずれか一項に記載の方法。
【請求項７２】
前記本体が、開放気泡または独立気泡の発泡材料あるいは不織材料または同様の特性を有する他の任意の材料など、形状回復可能であって圧縮可能である好ましくは疎水性の材料のリングからなる請求項６７〜７１のいずれか一項に記載の方法。
【請求項７３】
前記本体が、前記本体の長さの事実上全体にわたって、前記環状の面板表面の事実上全領域に当接している請求項６７〜７２のいずれか一項に記載の方法。
【請求項７４】
環状のフィルムが、前記本体の手前側表面へと取り付けられ、前記本体と前記面板の開口の前記縁との間に位置する前記環状の面板表面の面積の少なくとも一部、好ましくは事実上すべてを覆っている請求項７２に記載の方法。
【請求項７５】
前記環状のフィルムが、前記ストーマ受入開口に受け入れられたストーマが、前記環状のフィルムによって当該ストーマのための鞘またはカフの形態で部分的に覆われるよう、前記縁を超えて前記本体から離れるように延びている請求項７４に記載の方法。
【請求項７６】
オストミー患者から人間のストーマからの排出を受け入れるためのストーマ装具であって、
前記患者のストーマを受け入れるためのストーマ受入開口を備えている粘着性の面板と、該面板に取り外し可能に取り付けられて前記ストーマからの排出を受け入れるため前記ストーマからの排出を受け入れるための開口を備えているストーマ袋とを、組み合わせて有しており、
・前記面板が、体側の面すなわち近位面と遠位面とを有する可撓プレート、皮膚に優しい粘着材料の層、およびおおむね環状の面板接続手段を有し、該面板接続手段が、前記ストーマを受け入れるための前記開口とおおむね同心でありかつ前記ストーマを受け入れるための前記開口の縁から離間している内周を有して、該内周と前記縁との間におおむね環状の面板遠位面を定め、前記袋の開口が前記面板の開口に位置合わせされるよう、前記ストーマ袋の対応する袋接続手段と解除可能に係合するように構成されており、
当該ストーマ装具が、
・別体の閉じた輪であり好ましくは環状である引き延ばされた本体であって、前記ストーマ袋に取り付けられ、前記面板接続手段が前記袋接続手段と係合したときに前記内周の内側に位置して、前記環状の面板表面に当接する本体
をさらに有しているストーマ装具。
【請求項７７】
前記面板接続手段および前記袋接続手段が、互いに解除可能に係合するように構成された相互に一致する接続リングである請求項７６に記載のストーマ装具。
【請求項７８】
前記面板接続手段および前記袋接続手段が、接着剤によって互いに解除可能または固定に貼り付けられ、あるいは熱シールの継ぎ目によって互いに固定に貼り付けられるように構成された相互に一致する表面である請求項７６に記載のストーマ装具。
【請求項７９】
前記本体が、前記袋の開口に隣接する環状の領域において、接着剤または熱シールによって前記袋に取り付けられている請求項７６〜７８のいずれか一項に記載のストーマ装具。
【請求項８０】
前記本体が、前記袋接続手段への接着剤または熱シールによって、前記袋に取り付けられている請求項７６〜７９のいずれか一項に記載のストーマ装具。
【請求項８１】
前記本体が、開放気泡または独立気泡の発泡材料あるいは不織材料または同様の特性を有する他の任意の材料など、形状回復可能であって圧縮可能である好ましくは疎水性の材料のリングからなる請求項７６〜８０のいずれか一項に記載のストーマ装具。
【請求項８２】
前記本体が、前記本体の長さの事実上全体にわたって、前記環状の面板表面の事実上全領域に当接している請求項７６〜８１のいずれか一項に記載のストーマ装具。
【請求項８３】
環状のフィルムが、前記本体の手前側表面へと取り付けられ、前記本体と前記面板の開口の前記縁との間に位置する前記環状の面板表面の面積の少なくとも一部、好ましくは事実上すべてを覆っている請求項８１に記載のストーマ装具。
【請求項８４】
前記環状のフィルムが、前記ストーマ受入開口に受け入れられたストーマが、前記環状のフィルムによって当該ストーマのための鞘またはカフの形態で部分的に覆われるよう、前記縁を超えて前記本体から離れるように延びている請求項８３に記載のストーマ装具。
【手続補正２】
【補正対象書類名】明細書
【補正対象項目名】０００１
【補正方法】変更
【補正の内容】
【０００１】
本発明は、オストミー患者の皮膚へとストーマ袋を固定するための粘着性の面板であって、体側の面すなわち近位面と遠位面とを有するとともに、皮膚に優しい粘着材料の層および当該患者のストーマを受け入れるためのストーマ受入開口を有している可撓プレート、内縁および外縁を有するともに、前記ストーマ袋の対応する袋接続手段と固定または解除可能に係合するように構成されており、前記可撓プレートの平面とおおむね平行である自身の平面によって、前記ストーマを受け入れるための前記開口とおおむね同心に、前記可撓プレートへと固定されているおおむね環状の面板接続手段、ならびに腸内ガスを脱臭するためのフィルタ、を有している面板に関する。
【手続補正３】
【補正対象書類名】明細書
【補正対象項目名】０００６
【補正方法】変更
【補正の内容】
【０００６】
本発明によれば、この目的が、前記面板接続手段と前記可撓プレートとの間に、前記内周から前記外周まで延び、かつ前記フィルタを通る１つ以上の腸内ガス通路を設けることによって、達成される。